(57)【要約】【課題】針金等によるサムターンの不正な回転操作を阻止する。【解決手段】既存サムターン２３の摘み３１を覆う防犯サムターンの構造であって、摘み３１を挿入する嵌入穴５１ａを有し嵌入穴５１ａに挿入した摘み３１を固着手段５３によって固定して摘み３１を包囲して被着される回動円板５１と、回動円板５１の前面５１ｃに取り付け固定され前端面にフランジ部５５ａを有した止軸５５と、湾曲面５７ａの凹状内面で回動円板５１を前面５１ｃから覆う碗状に形成され止軸５５に回動自在に支持されるとともにフランジ部５５ａによって止軸５５からの抜脱が規制され且つ回動円板５１の周縁５１ｋを表出させる窓部５７ｂを有した空転部材５７と、回動円板５１とともに空転部材５７の前面から外周を覆う碗状に形成され、ストッパ部材７１を介して空転部材５７に脱着自在に取り付けられるカバー部材６９とを具備する。【選択図】　　　図１
2004137769.tif 000002
【特許請求の範囲】
【請求項１】
扉の屋内面に取り付けられた既存サムターンの摘みを覆う防犯サムターンの構造であって、
前記摘みを挿入する嵌入穴を後面に有し該嵌入穴に挿入した前記摘みを固着手段によって固定して前記摘みを包囲して被着される回動円板と、
該回動円板の前面に取り付け固定され前端面にフランジ部を有した止軸と、
湾曲面の凹状内面で前記回動円板を前面から覆う碗状に形成され前記止軸に回動自在に支持されるとともに前記フランジ部によって前記止軸からの抜脱が規制され且つ前記回動円板の周縁を表出させる窓部を有した空転部材と、
前記回動円板とともに前記空転部材の前面から外周を覆う碗状に形成され、係脱機構を介して前記空転部材に脱着自在に取り付けられるカバー部材と、
を具備したことを特徴とする防犯サムターンの構造。
【請求項２】
請求項１記載の防犯サムターンの構造において、
前記止軸の先端面に、回転位置表示手段が設けられたことを特徴とする防犯サムターンの構造。
【請求項３】
扉の屋内面に位置し、錠機構部内に回動操作力を入力するサムターン軸を備える防犯サムターンの構造であって、
前記サムターン軸に設けられ、該サムターン軸とともに回動する略フランジ状の回動円板と、
該回動円板の前面及び後面に配置され、該回動円板を挟んで連結されて、前記サムターン軸に回動自在に支持されるとともに、前記回動円板の周縁を表出させる窓部を有した空転部材と、
前記回動円板とともに前記空転部材の前面から外周を覆う碗状に形成され、係脱機構を介して前記空転部材に脱着自在に取り付けられるカバー部材と、
を具備したことを特徴とする防犯サムターンの構造。
【請求項４】
請求項３記載の防犯サムターンの構造において、
前記サムターン軸の先端面に、回転位置表示手段が設けられたことを特徴とする防犯サムターンの構造。
【発明の詳細な説明】
【０００１】
【発明の属する技術分野】
本発明は、扉の施解錠操作に用いられる防犯サムターンの構造に関するものである。
【０００２】
【従来の技術】
例えば扉に設けられる施錠装置は、屋外側に表出させたシリンダー錠の鍵孔に、合鍵（キー）を挿入して回動操作することにより、扉の木口より進退させたデッドボルトを扉枠に設けたストライクに係合・係合解除して施解錠を行うとともに、屋内側からは、サムターンの摘みを回動操作するのみで、デッドボルトを進退させて、扉の施解錠を簡便に行えるようにしている。
【０００３】
ところが、近年、ポスト口や、機械工具によって開けた小さな穴から針金等を挿入し、回転操作の容易なサムターンに係止して回転させ、施錠装置を解錠する不正解錠が増えている。このようなサムターンに針金等を係止して回転させることを防止するものに例えば下記特許文献１に開示されるサムターン用防犯カバーがある。
【０００４】
この防犯カバー１は、図７，図８に示すように、サムターン２が嵌入する嵌入孔３が形成されているとともに、回転時に円状軌跡２ｂを描くサムターン２の外面２ａを覆う部分が、円状軌跡に沿う円形状に形成されている。そして、嵌入孔３内に螺入してサムターン２の側面に当接し、両側から挟持するセットスクリュー４，４が設けられている。
このような構成からなる防犯カバー１は、嵌入孔３にサムターン２を挿入することで、サムターン２に防犯カバー１を覆うように被せる。その後セットスクリュー４，４を螺入させて締め付けることで、防犯カバー１をサムターン２に固定する。従って、サムターン２に被せた防犯カバー１によって、針金等を係止させて回転させることが難しくなる。
【０００５】
また、上記した防犯カバーの別態様として、図９に示すように、防犯カバー１を、取付部５及び本体部６から構成したものが開示されている。取付部５は、上記の防犯カバー１の外形を手での操作が容易となるように形成し、本体部６が係止する係止突部５ａを設けている。取付部５は、サムターン２に被せた状態で、サムターン２を容易に回転させることができる。また、本体部６は、係止突部５ａに係止可能な係止部６ａを有している。このようにすることで、係止作業という簡単な作業で、防犯カバー１の着脱が行える。さらに係止部６ａで本体部６が空転することにより、針金等を係止させて回転させることが不可能となる。
【０００６】
さらに、上記した防犯カバーの別態様として、図１０に示すように、係止部６ａ内に、係止突部５ａとの間にバネ部材８を設け、本体部６側の外周縁に複数の係合凹部５ｂと、この係合凹部５ｂに係合可能な係合凸部６ｂとを設けたものが開示されている。
このような構成とすれば、本体部６を常に取り付けたままとしておくことができる。すなわち、常時は係止突部５ａと係止部６ａとで本体部６が空転し、サムターン２を回転させたいときは、本体部６を手で押圧し、係合凸部６ｂを取付部５の係合凹部５ｂに係合させ、この係合状態のまま本体部６を回転させることにより、サムターン２を回転させることができた。
【０００７】
【特許文献１】
実公平４−４０３６２号公報
【０００８】
【発明が解決しようとする課題】
しかしながら、図７，図８に示された防犯カバーは、外形が円筒体形状であるため、サムターンに被せた場合、本来小判形状であることからその回転位置によって視認できたサムターンの施錠状態又は非施錠状態を視認不能にしてしまい、施解錠の操作性を低下させる問題があった。
【０００９】
また、図９に示された防犯カバーは、サムターンを回転操作可能にする取付部と、この取付部に対し空転しかつ着脱可能となる本体部とから構成されており、簡素な係止構造であることから、取付部に対して本体部が簡単に引き抜けてしまう欠点があった。
【００１０】
さらに、図１０に示された防犯カバーは、本体部を常に取り付けたままとできるが、サムターンの回転操作時には本体部を手で押圧しながら回転させなければならないため、操作性を低下させた。
【００１１】
本発明は上記状況に鑑みてなされたもので、その第一の目的は、針金や棒等によるサムターンの回転を阻止できるとともに、従来同様の回転のみによる操作を可能とし、かつ、サムターンの不使用時には、回転操作を不可能とする防犯サムターンの構造を提供し、もって、防犯性、操作性の向上を図ることにある。また、その第二の目的は、サムターンの回転位置が容易に視認できる防犯サムターンの構造を提供し、もって、操作性の向上を図ることにある。
【００１２】
【課題を解決するための手段】
次に、上記の課題を解決するための手段を、実施の形態に対応する図面を参照して説明する。
この発明の請求項１記載の防犯サムターンの構造は、扉２５の屋内面２５ａに取り付けられた既存サムターン２３の摘み３１を覆う防犯サムターンの構造であって、
前記摘み３１を挿入する嵌入穴５１ａを後面５１ｂに有し該嵌入穴５１ａに挿入した前記摘み３１を固着手段５３によって固定して前記摘み３１を包囲して被着される回動円板５１と、
該回動円板５１の前面５１ｃに取り付け固定され前端面にフランジ部５５ａを有した止軸５５と、
湾曲面５７ａの凹状内面で前記回動円板５１を前面５１ｃから覆う碗状に形成され前記止軸５５に回動自在に支持されるとともに前記フランジ部５５ａによって前記止軸５５からの抜脱が規制され且つ前記回動円板５１の周縁５１ｋを表出させる窓部５７ｂを有した空転部材５７と、
前記回動円板５１とともに前記空転部材５７の前面から外周を覆う碗状に形成され、係脱機構７１を介して前記空転部材５７に脱着自在に取り付けられるカバー部材６９と、
を具備したことを特徴とする。
【００１３】
この防犯サムターンの構造では、既存サムターン２３の摘み３１が回動円板５１によって覆われ、また、回動円板５１には、回動円板５１の一部を表出する空転部材５７が被される。さらにこれら回動円板５１と空転部材５７とはカバー部材６９にてその外周を覆われることとなる。従って、針金や棒等を用いても、カバー部材６９の表面を滑ることとなり、また、カバー部材６９が空転部材５７とともに空回りし、摘み３１への回転力を伝達しない。そして、サムターンの操作を行うには、係脱機構７１を操作し、空転部材５７からカバー部材６９を取り外し、空転部材５７とともに窓部５７ｂから表出した回動円板５１を摘むことで、従来同様の回転操作のみにより施解錠操作することが可能となる。なお、サムターンの操作終了後、カバー部材６９は空転部材５７に取り付けられる。
【００１４】
請求項２記載の防犯サムターンの構造は、請求項１記載の防犯サムターンの構造において、
前記止軸５５の先端面に、回転位置表示手段５５ｄが設けられたことを特徴とする。
【００１５】
この防犯サムターンの構造では、回動円板５１に覆われることで視認できなくなった摘み３１の回転位置が、回転位置表示手段５５ｄを介して知ることができ、カバー部材６９を外した状態でのサムターン操作時における施錠及び解除の操作性が向上する。
【００１６】
請求項３記載の防犯サムターンの構造は、扉２５の屋内面２５ａに位置し、錠機構部内に回動操作力を入力するサムターン軸８３を備える防犯サムターンの構造であって、
前記サムターン軸８３に設けられ、該サムターン軸８３とともに回動する略フランジ状の回動円板８５と、
該回動円板８５の前面及び後面に配置され、該回動円板８５を挟んで連結されて、前記サムターン軸８３に回動自在に支持されるとともに、前記回動円板８５の周縁８５ａを表出させる窓部８７ａを有した空転部材８７と、
前記回動円板８５とともに前記空転部材８７の前面から外周を覆う碗状に形成され、係脱機構７１を介して前記空転部材８７に脱着自在に取り付けられるカバー部材６９と、
を具備したことを特徴とする。
【００１７】
この防犯サムターンの構造では、サムターン軸８３に回動円板８５が設けられ、この回動円板８５には、回動円板８５の一部を表出する空転部材８７が被される。さらにこれら回動円板８５と空転部材８７とはカバー部材６９にてその外周を覆われることとなる。従って、針金や棒等を用いても、カバー部材６９の表面を滑り、また、カバー部材６９が空転部材８７とともに空回りすることとなり、サムターン軸８３への回転力を伝達しない。そして、サムターンの操作を行うには、係脱機構７１を操作し、空転部材８７からカバー部材６９を取り外し、空転部材８７とともに窓部８７ａから表出した回動円板８５を摘むことで、従来同様の回転操作のみにより施解錠操作することが可能となる。なお、サムターンの操作終了後、カバー部材６９は空転部材８７に取り付けられる。
【００１８】
請求項４記載の防犯サムターンの構造は、請求項３記載の防犯サムターンの構造において、
前記サムターン軸８３の先端面に、回転位置表示手段８４が設けられたことを特徴とする。
【００１９】
この防犯サムターンの構造では、サムターン軸８３の回転位置が、回転位置表示手段８４を介して知ることができ、カバー部材６９を外した状態でのサムターン操作時における施錠及び解除の操作性が向上する。
【００２０】
【発明の実施の形態】
以下、本発明に係る防犯サムターンの構造の好適な実施の形態を図面を参照して詳細に説明する。
なお、以下に説明する防犯サムターンの構造では、扉の屋内面に既に配設されている既存サムターンに対して、防犯サムターンを構成させる例として説明する。
図１は本発明に係る防犯サムターンの構造を既存サムターンとともに表した縦断面図、図２は図１に示した防犯サムターンの構造の分解斜視図である。
【００２１】
まず、本実施の形態による防犯サムターンの構造の説明に先立ち、防犯サムターン２１によって覆われることとなる既存サムターン２３について説明する。
図１に示すように、扉２５には図示しない錠箱が設けられ、この錠箱にはラッチボルト，デッドボルト，及びこれらを扉２５の木口から進退させる錠箱機構部を内設している。
扉２５は屋内側の面である屋内面２５ａに既存サムターン２３を突設している。上記した錠箱のデッドボルトは、扉２５の屋外側の面に設けたシリンダー錠をキーによって、又はこの既存サムターン２３の摘み３１を回動することによって扉２５の木口から進退可能となる。
【００２２】
既存サムターン２３は、筒状支持部２７と、筒状支持部２７に嵌挿されるサムターン軸２９と、サムターン軸２９と相対回転不能に連結、若しくはこのサムターン軸２９と一体に形成される摘み３１と、筒状支持部２７の先端部に外嵌される飾り筒３３と、飾り筒３３に外嵌され、筒状支持部２７に外挿されたコイルバネ３５によって屋内面２５ａに押付けられる略円錐形状の化粧リング３７とを主要な構成部材として有している。
【００２３】
筒状支持部２７は、略円筒形に形成されている。筒状支持部２７の後端部２７ａには、軸線に直交方向の一対の凸部３９，３９が外周の上下に設けられている。これら凸部３９，３９には固定穴４１が形成されている。筒状支持部２７の後端部は、屋内面２５ａに穿設した挿入穴２５ｂに挿入され、扉２５内に設けた図示しない錠箱にこの固定穴４１を介して固定される。これにより、筒状支持部２７は、錠箱に回動不能に固定され、この錠箱を介して扉２５の屋内面２５ａ側に固設されることになる。
【００２４】
筒状支持部２７の先端は、屋内面２５ａより突出し、その外周には、先端側を切除した略円錐状の化粧リング３７を、先端部が筒状支持部２７の先端となるように取り付けている。また、筒状支持部２７の先端には、飾り筒３３が設けられ、筒状支持部２７の先端面を覆っている。
【００２５】
サムターン軸２９は、基端部が断面十字形状の入力部４３となり、この入力部４３が図示しない錠箱機構部の入力軸に相対回転不能に嵌入される。サムターン軸２９は、筒状支持部２７に挿通支持され、図示しないＥリングなどの移動規制部材が取り付けられて、筒状支持部２７に対して抜脱が規制され、回動自在に支持される。サムターン軸２９の先端部は、飾り筒３３の先端面から突出する摘み３１に相対回転不能に連結される。従って、既存サムターン２３は、摘み３１が回動されることで、サムターン軸２９を介して入力部４３により錠箱機構部内が操作され、デッドボルトが扉２５の木口から進退するようになっている。
【００２６】
本実施の形態による防犯サムターン２１は、この既存サムターン２３に取り付けることができる。
防犯サムターン２１は、摘み３１を挿入する嵌入穴５１ａを後面５１ｂに有し嵌入穴５１ａに挿入した摘み３１を固着手段５３によって固定して摘み３１を包囲して被着される回動円板５１と、回動円板５１の前面５１ｃに取り付け固定され前端面にフランジ部５５ａを有した止軸５５と、湾曲面５７ａの反対側の面となる凹状内面で回動円板５１を前面５１ｃから覆う碗状に形成され止軸５５に回動自在に支持されるとともにフランジ部５５ａによって止軸５５からの抜脱が規制され、かつ回動円板５１の周縁５１ｋを表出させる窓部５７ｂを有した空転部材５７と、回動円板５１とともに空転部材５７の前面から外周を覆う碗状に形成され、係脱機構７１を介して空転部材５７に脱着自在に取り付けられるカバー部材６９とを備えている。
【００２７】
回動円板５１は、後面５１ｂ側の大径部５１ｄの前面に、小径部５１ｅを同軸上に形成することで、段部５１ｆを有している。大径部５１ｄの側面には半径方向に固着手段５３であるネジ孔５１ｇが形成され、ネジ孔５１ｇは嵌入穴５１ａに通じている。このネジ孔５１ｇには固着手段５３である固定用ネジ６１が螺合される。すなわち、回動円板５１は、嵌入穴５１ａに摘み３１を挿入し、ネジ孔５１ｇに螺合した固定用ネジ６１を締め付けることで、固定用ネジ６１の先端を摘み３１に圧接して摘み３１に取り付け固定できるようになっている。つまり、回動円板５１は、摘み３１と一体回転するように取り付けられる。
【００２８】
回動円板５１の前面５１ｃ略中央には凹部５１ｈが形成され、凹部５１ｈには止軸５５の基端５５ｂが嵌入される。また、回動円板５１の後面５１ｂから凹部５１ｈには固定穴５１ｊが貫通し穿設されている。一方、止軸５５にはネジ孔５５ｃが軸線方向に形成されている。止軸５５は、この固定穴５１ｊに挿通したビス５２を止軸５５のネジ孔５５ｃに螺合することで、基端５５ｂを凹部５１ｈに嵌合して取り付け固定される。
【００２９】
この止軸５５のフランジ部５５ａには回転位置表示手段５５ｄが設けられている。回転位置表示手段５５ｄは、微小な凹凸による標示、印刷や刻印、あるいは部分的な着色による色分け等とされている。例えば、図２に示すように、解錠時では回転位置表示手段５５ｄは縦長状とされており、施錠する場合、時計回り方向に回動円板５１を９０度回転させると、横長状となり、解錠時と施錠時とが識別可能となっている。
【００３０】
空転部材５７は、中央部に止軸５５の挿通される貫通穴６３を有している。空転部材５７は、碗部５７ｃの湾曲面５７ａから突出して、貫通穴６３から曲面に沿って放射状に延在する複数、本実施の形態では４つの凸条部６５を有している。凸条部６５は、碗部５７ｃの裾から延出している。
【００３１】
空転部材５７の凸条部６５は、回動円板５１の大径部５１ｄの外側となり、延出先端を、化粧リング３７の周囲に配置する。凸条部６５の碗部５７ｃの内側には段部６５ａが形成されている。この段部６５ａは、回動円板５１の段部５１ｆと組み合わさるようになっている。この状態で、空転部材５７は止軸５５に対して回転自在となる。従って、空転部材５７は、回動円板５１に対して相対回転自在に保持される。空転部材５７は、凸条部６５同士の間隙が窓部５７ｂとなっている。この窓部５７ｂからは、回動円板５１の周縁５１ｋが表出するようになっている。
なお、空転部材５７の凸条部６５の外側面には、後述する係脱機構７１に係る凹溝６７が形成される。この実施の形態では、４つの凸条部６５のうち対向位置となる２つにそれぞれ形成されるが、各凸条部６５に形成されても良い。
【００３２】
従って、回動円板５１には回動円板５１と止軸５５とが組み付けられ、回動円板５１が固着手段５３によって摘み３１に取り付け固定されることになる。
【００３３】
カバー部材６９は、図２に示すように、外周面の形状が、好ましくは曲面で形成されており、また内周面には空転部材５７の各凸条部６５が嵌入される凹条６９ａが形成される。カバー部材６９の基端側の外周面に略蒲鉾状の一対の突条７０が軸線方向に沿って突出形成されている。各突条７０は、中心軸線に対し１８０度の位置である互いに外方向となる位置に形成される。また、各突条７０を直交して、外周面には周方向に沿って取付溝７２がそれぞれ形成されている。各突条７０には、軸線方向である長手方向に挿入孔７０ａが形成される。各取付溝７２には、カバー部材６９の側壁を貫通する透孔７３が穿設される。そして、これら取付溝７２には、それぞれ係脱機構としてのストッパ部材７１が配設される。
【００３４】
各ストッパ部材７１は、図２，３に示すように、中途に軸孔７１ａが穿設され、先端に係止爪７１ｂを有している。また、このストッパ部材７１には中途から斜めに延設される付勢部７１ｃを有している。このストッパ部材７１は、カバー部材６９の取付溝７２内に、係止爪７１ｂ及び付勢部７１ｃが位置し、取付溝底部に付勢部７１ｃが当接状態で配設され、軸孔７１ａを貫通して突条７０の挿入孔７０ａに挿着されるピン７５にて揺動自在に取り付けられる。ストッパ部材７１は、図３に示すように、基端の操作部７１ｄが、カバー部材６９の外側面より突出する。なお、このストッパ部材７１は、可撓性を有するポリアセタール樹脂などで構成される。
【００３５】
従って、このカバー部材６９は、回動円板５１とともに空転部材５７の前面から外周を覆うように取り付けられ、各ストッパ部材７１の係止爪７１ｂが、空転部材５７の凸条部６５の凹溝６７に嵌入し、カバー部材６９と空転部材５７とが略一体となって、防犯サムターン２１全体が摘み３１に取り付けられる。
【００３６】
次に本実施の形態の動作について説明する。
まず、屋内側から施錠する場合について説明する。
操作者は、カバー部材６９を取り外す。図４に示すように、カバー部材６９の外側面から突出している各ストッパ部材７１の操作部７１ｄを同時に、それぞれの付勢部７１ｃの付勢力に抗して揺動させる。そして、係止爪７１ｂを凹溝６７から後退させ互いの係合状態を解き、そのままカバー部材６９とともに空転部材５７から引き離し取り外す。
【００３７】
次に、操作者は、窓部５７ｂから表出している回動円板５１の周縁５１ｋを摘む。このとき、摘んだ手指は、空転部材５７も同時に摘むこととなっても良い。
【００３８】
摘んだ手を捻って回動円板５１を例えば時計回りに回転させると、摘み３１もそれに伴って回動する。そして、例えば９０度回動されると、サムターン軸２９の入力部４３により錠箱機構部内が操作され、デッドボルトが扉２５の木口に進出する。
【００３９】
これにより屋内側から扉２５が施錠される。このとき、止軸５５のフランジ部５５ａの回転位置表示手段５５ｄは横長になっており、屋内側から施錠されていることが視認される。
【００４０】
なお、回動円板５１の周縁５１ｋを摘んだ指が回動円板５１の回動に伴って凸条部６５の側部に当接し、これによって、空転部材５７は回動円板５１と同方向に回転する。
【００４１】
施錠操作を終えたら、カバー部材６９を取り付ける。この取り付けは、カバー部材６９を各ストッパ部材７１の位置にて摘んだ状態が好ましく、これらストッパ部材７１の各係止爪７１ｂを空転部材５７の凹溝６７に嵌合させることで行う。
【００４２】
次に、施錠状態から解掟するときは、上記施錠状態と同様に、まず、カバー部材６９を取り外す。すなわち、カバー部材６９の外側面から突出している各ストッパ部材７１を同時に、それぞれの付勢部７１ｃの付勢力に抗して揺動させる。そして、係止爪７１ｂを凹溝６７から後退させ互いの係合状態を解き、そのままカバー部材６９とともに空転部材５７から引き離し取り外す。
【００４３】
次に、凸条部６５の間である窓部５７ｂより表出している回動円板５１の周縁５１ｋを摘む。回動円板５１を反時計回り方向に回転させると、サムターン軸２９もそれに伴って回転する。回動円板５１が９０度回動されると、サムターン軸２９の入力部４３により錠箱機構部内が操作され、扉２５の木口に進出しているデットボルトが扉２５の木口から後退させられる。
【００４４】
これにより屋内側から扉２５が解錠される。このとき、凸条部６５のフランジ部５５ａの回転位置表示手段５５ｄは縦長になっており、屋内側から解錠されていることが視認される。
【００４５】
解錠操作を終えたら、カバー部材６９を取り付ける。この取り付けは、カバー部材６９を各ストッパ部材７１の位置にて摘んだ状態が好ましく、これらストッパ部材７１の各係止爪７１ｂを空転部材５７の凹溝６７に嵌合させることで行う。
【００４６】
また、施錠時において、扉２５等に設けられた小窓を割り、或いは扉２５と扉枠の隙間から針金を差し入れて、外部より防犯サムターン２１を不正に操作しようとする場合、針金等の先端は、カバー部材６９の表面を滑ることとなり、すなわち、針金等にて回転操作を行おうとしてもそのような操作を不能とする。ここで、カバー部材６９の外側面より突出しているストッパ部材７１に針金等が引っ掛かったとしても、カバー部材６９は空転部材５７とともに回転し、不正操作を不可能とし、すなわち、不正解錠を防止することができる。
【００４７】
もし、カバー部材６９が取り付けられていなくとも、上記のような不正な操作にて、針金が凸条部６５に係止されようとしても、空転部材５７自身が止軸５５に対して回転自在であるため、空転部材５７が空転するのみであり、止軸５５及び摘み３１を回動させることができず、デッドボルトも進退しないこととなる。従って、不正解錠を防止することができる。
【００４８】
このように、上記の防犯サムターン２１によれば、既存サムターン２３の摘み３１が回動円板５１によって覆われ、また、回動円板５１には、回動円板５１の一部を表出する空転部材５７が被される。さらにこれら回動円板５１と空転部材５７とはカバー部材６９にてその外周を覆われることとなる。従って、針金や棒等を用いても、カバー部材６９の表面を滑ることとなり、また、カバー部材６９が空転部材５７とともに空回りし、摘み３１への回転力を伝達しない。そして、サムターンの操作を行うには、ストッパ部材７１を操作し、空転部材５７からカバー部材６９を取り外し、空転部材５７とともに窓部５７ｂから表出した回動円板５１を摘むことで、従来同様の回転操作のみにより施解錠操作することが可能となる。
【００４９】
そして、サムターンの操作時には、回動円板５１の外側に空転部材５７を配設するので、空転部材５７とともに、窓部５７ｂから表出した回動円板５１を摘むことができ、回動円板５１のみを摘む場合に比べて、指が滑り難くなり、またこの回動操作により空転部材５７が回動円板５１とともに回動することから、操作者の操作感を得られ、操作性を良好にすることができる。
【００５０】
また、回動円板５１に覆われることで視認できなくなった摘み３１の回転位置が、回転位置表示手段５５ｄを介して知ることができ、操作性を向上させることができる。
【００５１】
なお、上述した実施の形態では、既設のサムターンである既存サムターン２３に対して後付けを行うことで防犯性を得る防犯サムターンの構造について説明したが、予め防犯構造とされるサムターンであっても上記同様の効果を得られるものである。
すなわち、図５，６に示すように、錠機構部内に回動操作力を入力するサムターン軸８３を備え、このサムターン軸８３に、上記と同様の、回動円板８５と空転部材８７を設けるとともに、これら回動円板８５と空転部材８７とを覆うカバー部材６９を構成した構造としてもよい。
【００５２】
この防犯サムターンの構造によれば、サムターン軸８３に回動円板８５が設けられ、この回動円板８５には、回動円板８５の一部を表出する空転部材８７が被される。さらにこれら回動円板８５と空転部材８７とはカバー部材６９にてその外周を覆われることとなる。従って、針金や棒等を用いても、カバー部材６９の表面を滑り、また、カバー部材６９は空転部材８７とともに空回りすることとなり、サムターン軸８３への回転力を伝達しない。そして、サムターンの操作を行うには、係脱機構７１を操作し、空転部材８７からカバー部材６９を取り外し、空転部材８７とともに窓部８７ａから表出した回動円板８５の周縁８５ａを摘むことで、従来同様の回転操作のみにより施解錠操作することが可能となる。なお、サムターンの操作終了後、カバー部材６９は空転部材８７に取り付けられる。
【００５３】
また、この防犯サムターンの構造において、サムターン軸８３の先端面に、回転位置表示手段８４が設けられることが好ましく、この防犯サムターンの構造によれば、サムターン軸８３の回転位置が、回転位置表示手段８４を介して知ることができ、カバー部材６９を外した状態でのサムターン操作時における施錠及び解除の操作性が向上する。
【００５４】
なお、上述した各実施の形態では、凸条部６５を周方向に４つ形成することとしたが、４つに限定されることはなく、例えば、１個〜３個であってもよく、また５個以上であってもよい。この場合、凸条部６５同士の間隔は、回動円板５１が指に摘まれて回動操作可能となる程度の間隔であればよい。
【００５５】
【発明の効果】
以上説明したように、本発明に係る請求項１記載の防犯サムターンの構造によれば、既存サムターンの摘みが回動円板によって覆われ、また、回動円板には、回動円板の一部を表出する空転部材が被され、さらにこれら回動円板と空転部材とはカバー部材にてその外周を覆われることとなるので、針金や棒等を用いて不正な解錠操作を行おうとしても、針金等はカバー部材の表面を滑ることとなり、また、カバー部材が空転部材とともに空回りし、摘みへの回転力を伝達せず、阻止することができる。そして、サムターンの操作を行うには、係脱機構を操作し、空転部材からカバー部材を取り外し、空転部材とともに窓部から表出した回動円板を摘むことで、従来同様の回転操作のみにより施解錠操作することが可能となる。なお、サムターンの操作を終え、使用しないこととなれば、カバー部材にて覆われることとなり、上記のような不正な操作に対し、それを阻止するものとなり、不正解錠が不可能となる。
【００５６】
請求項２記載の防犯サムターンの構造によれば、回動円板に覆われることで視認できなくなった摘みの回転位置が、回転位置表示手段を介して知ることができ、カバー部材を外した状態でのサムターン操作時における施錠及び解除の操作性を向上させることができる。
【００５７】
請求項３記載の防犯サムターンの構造によれば、サムターン軸に回動円板が設けられ、この回動円板には、回動円板の一部を表出する空転部材が被され、さらにこれら回動円板と空転部材とはカバー部材にてその外周を覆われることとなるので、針金や棒等を用いて不正な解錠操作を行おうとしても、針金等はカバー部材の表面を滑ることとなり、また、カバー部材が空転部材とともに空回りし、サムターン軸への回転力の入力を阻止することができる。そして、サムターンの操作を行うには、係脱機構を操作し、空転部材からカバー部材を取り外し、空転部材とともに窓部から表出した回動円板を摘むことで、従来同様の回転操作のみにより施解錠操作することが可能となる。
【００５８】
請求項４記載の防犯サムターンの構造によれば、サムターン軸の回転位置が、回転位置表示手段を介して知ることができ、カバー部材を外した状態でのサムターン操作時における施錠及び解除の操作性を向上させることができる。
【図面の簡単な説明】
【図１】本発明に係る防犯サムターンを既存サムターンとともに表した縦断面図である。
【図２】図１に示した防犯サムターンの分解斜視図である。
【図３】図１におけるＡ−Ａ線断面図である。
【図４】同防犯サムターンの操作状態を示す正面図である。
【図５】他の実施の形態の防犯サムターンの縦断面図である。
【図６】同正面図である。
【図７】従来の防犯カバーの扉への取り付け状態を示す斜視図である。
【図８】図７に示した防犯カバーの内部状態を表す断面図である。
【図９】図７に示した防犯カバーの別態様を表す部分破断側面図である。
【図１０】図７に示した防犯カバーのさらに別態様を表す部分破断側面図である。
【符号の説明】
２１…防犯サムターン
２３…既存サムターン
２５…扉
２５ａ…屋内面
３１…摘み
５１，８５…回動円板
５１ａ…嵌入穴
５１ｂ…後面
５１ｃ…前面
５１ｋ，８５ａ…周縁
５３…固着手段
５５ａ…フランジ部
５５…止軸
５５ｄ，８４…回転位置表示手段
５７，８７…空転部材
５７ａ…湾曲面
５７ｂ，８７ａ…窓部
６９…カバー部材
７１…係脱機構（ストッパ部材）
８３…サムターン軸
【図１】
2004137769.tif 000003
【図２】
2004137769.tif 000004
【図３】
2004137769.tif 000005
【図４】
2004137769.tif 000006
【図５】
2004137769.tif 000007
【図６】
2004137769.tif 000008
【図７】
2004137769.tif 000009
【図８】
2004137769.tif 000010
【図９】
2004137769.tif 000011
【図１０】
2004137769.tif 000012